(57)【要約】【課題】所定の規格の電源プラグを異なる規格の電源プラグへと変換し商用電源からの電力を壁面コンセントから電気製品へと供給する変換プラグであり、より簡単な構造で安全面の標準規格を満足させる変換プラグを提供する。【解決手段】刃受１２ａと、刃受が受ける栓刃２１ａとは異なる栓刃１２ｂと、刃受の刃受挿入口１１ｆとを有する変換プラグ１において、刃受挿入口を有する第１面１１ａと、第１面と離間し対向して設けられ刃受に適合する栓刃を有する被変換プラグ２１を第１面と共に挟む第２面１１ｂと、第１面と第２面とを連結し被変換プラグの両側面２１ｃを囲うための一対の側壁面１１ｃとを具備し、第１面と第２面と一対の側壁面とによって被変換プラグを収納する空間部１１ｄを形成する。【選択図】図２
2018181563.tif 000002
【特許請求の範囲】
【請求項１】
刃受と、該刃受が受ける栓刃とは異なる栓刃と、該刃受の刃受挿入口と、を有する変換プラグにおいて、
上記刃受挿入口を有する第１面と、
該第１面と離間し対向して設けられ、上記刃受に適合する栓刃を有する被変換プラグを該第１面と共に挟む第２面と、
該第１面と該第２面とを連結し、該被変換プラグの両側面を囲うための一対の側壁面と、
を具備し、
上記第１面と上記第２面と上記一対の側壁面とによって、上記被変換プラグを収納する空間部を形成していることを特徴とした変換プラグ。
【請求項２】
上記変換プラグの本体は、エラストマー材からなることを特徴とした請求項１記載の変換プラグ。
【請求項３】
上記変換プラグの本体は、合成樹脂からなることを特徴とした請求項１記載の変換プラグ。
【請求項４】
上記刃受の延出方向と上記栓刃の延出方向とは、互いに角度９０度で交差していることを特徴とした請求項１〜請求項３のいずれか一つに記載の変換プラグ。
【請求項５】
上記刃受と上記栓刃とは、直線的に形成されていることを特徴とした請求項１〜請求項３のいずれか一つに記載の変換プラグ。
【請求項６】
上記一対の側壁面は、上記第１面と上記第２面との間隔寸法を弾性的に大きくなる方向に変化させることができるように形成されている請求項１〜請求項５のいずれか一つに記載の変換プラグ。
【請求項７】
上記第１面と上記第２面との間には、上記被変換プラグを覗ける開口孔を有することを特徴とした請求項１〜請求項６のいずれか一つに記載の変換プラグ。
【請求項８】
上記刃受は自己鎖錠型刃受であり、上記被変換プラグを上記変換プラグに挿入後、所定の位置まで回動して固定ロックされることを特徴とした請求項１〜請求項７のいずれか一つに記載の変換プラグ。
【請求項９】
エラストマー材料からなる変換プラグ本体と、
該変換プラグ本体内に形成され、外部プラグが収納され、該外部プラグが収納されたときは該外部プラグの少なくとも外観面の１面が覆われる凹状の空間部と、
該変換プラグ本体内に設けられ、上記外部プラグが上記空間部内に収納されたときに上記外部プラグの栓刃が挿入され該栓刃を受ける刃受と、該刃受と一体に形成され、外部コンセントに挿入される栓刃とを有するプラグピンと、
上記空間部の内面に設けられ、上記外部プラグの栓刃が上記刃受に挿入されるための挿入口と、
を具備したことを特徴とした変換プラグ。
【請求項１０】
上記凹状空間部は、開放端口元の一辺に上記外部プラグが上記空間部から外れることを防止するために、上記凹状空間部の内方に突出し上記外部プラグの一辺と係合する凸部が形成されていることを特徴とした請求項１記載の変換プラグ。
【請求項１１】
刃受と、該刃受が受ける栓刃とは異なる栓刃と、該刃受の刃受挿入口を有する本体部と、からなる変換プラグにおいて、
上記刃受と、
上記刃受が一体で形成され、
上記変換プラグに装着される被変換プラグが上記変換プラグに挿入されて回動されると、上記変換プラグに固定ロックされることを特徴とした変換プラグ。
【発明の詳細な説明】
【技術分野】
【０００１】
この発明は、所定の規格に応じた電源プラグを異なる規格に対応した電源プラグへと変換する変換プラグに関するものである。
【背景技術】
【０００２】
従来、商用電源から電気製品へと電力を供給するために、壁面コンセント（差し込み口，プラグ受け）に接続される電源プラグ（差込プラグ）は各種各様の形態のものが存在している。これら各種の形態の電源プラグとしては、例えば国際電気標準会議（International Electrotechnical Commission；ＩＥＣ）等によって策定された規格（以下、ＩＥＣ規格と略記する）に応じた複数種類のものがある。
【０００３】
そして、各国においては、これら複数種類の電源プラグのうちから国別に標準化がなされている。例えば、日本国内においては、日本工業規格（Japanese Industrial Standards；ＪＩＳ）に沿った形態のものであって、例えばいわゆる平形プラグ等の電源プラグが広く用いられている。
【０００４】
また、一般に、電気製品においては、使用者の安全を確保するための技術的な基準についても、例えばＩＥＣ規格やＪＩＳ等によって種々策定されている。
【０００５】
この種の電源プラグに関しては、さらに、例えば既成の平形プラグをＬ形プラグに変換する変換プラグや、例えば日本国内規格（仕様）等の既成の平形プラグを各国別の規格（仕様）に対応した電源プラグへと変換する変換プラグ等について、従来より種々の提案がなされており、また一般に実用化されている。
【０００６】
例えば、実用新案登録番号第３０６００６５号公報等によって開示されている変換プラグは、電気製品に付属の既成の平形プラグを簡単にＬ形プラグへと変換するための変換プラグである。
【先行技術文献】
【特許文献】
【０００７】
【特許文献１】実用新案登録番号第３０６００６５号公報
【発明の概要】
【発明が解決しようとする課題】
【０００８】
ところが、上記実用新案登録番号第３０６００６５号公報等によって開示されている形態の変換プラグでは、例えば既成の平形プラグから延出するコードに対して意図しない力量が加わったような場合、当該既成平形プラグが変換プラグから抜去され、当該変換プラグのみが壁面コンセントに残ってしまったり、変換プラグが破損して端子部材の一部（例えば栓刃等）が外部に露呈するといった問題等が起こり得る。
【０００９】
このように、電源プラグと変換プラグとの接続した状態が使用中に容易に解除されてしまい、両者が離別した状態になってしまうということは、安全面からも標準規格の上でも問題がある。
【００１０】
本発明は、上述した点に鑑みてなされたものであって、その目的とするところは、所定の規格（例えば日本国内規格等）に応じた電源プラグを、異なる規格（例えば各国別（仕向地別の規格）に対応した電源プラグへと変換して、商用電源からの電力を壁面コンセントから所定の電気製品へと供給することができる変換プラグであって、より簡単な構造で、安全面の標準規格（例えばＩＥＣ規格，ＪＩＳ等）を満足させることができるようにした変換プラグを提供することである。
【課題を解決するための手段】
【００１１】
上記目的を達成するために、本発明の一態様の変換プラグは、刃受と該刃受が受ける栓刃とは異なる栓刃と該刃受の刃受挿入口とを有する変換プラグにおいて、上記刃受挿入口を有する第１面と、該第１面と離間し対向して設けられ上記刃受に適合する栓刃を有する被変換プラグを該第１面と共に挟む第２面と、該第１面と該第２面とを連結し該被変換プラグの両側面を囲うための一対の側壁面とを具備し、上記第１面と上記第２面と上記一対の側壁面とによって、上記被変換プラグを収納する空間部を形成している。
【発明の効果】
【００１２】
本発明によれば、所定の規格（例えば日本国内規格等）に応じた電源プラグを、異なる規格（例えば各国別（仕向地別の規格）に対応した電源プラグへと変換して、商用電源からの電力を壁面コンセントから所定の電気製品へと供給することができる変換プラグであって、より簡単な構造で、安全面の標準規格（例えばＩＥＣ規格，ＪＩＳ等）を満足させることができるようにした変換プラグを提供することである。
【図面の簡単な説明】
【００１３】
【図１】本発明の第１の実施形態の変換プラグの主に背面側の構成を示す外観斜視図
【図２】本発明の第１の実施形態の変換プラグの主に前面側の構成を示す外観斜視図
【図３】本発明の第１の実施形態の変換プラグにおけるプラグピン（端子部材）のみを取り出して示す要部拡大外観斜視図
【図４】図２の矢印符号［４］が指し示す面（図２において二点鎖線で示す面）に沿う縦断面図
【図５】図２の状態の変換プラグに対して被変換プラグ（外部プラグ，電源プラグ）を取り付けた状態を示す外観斜視図
【図６】図５の被変換プラグ（外部プラグ，電源プラグ）と、これに取り付けられる蓋部材とを示す外観斜視図
【図７】本発明の第１の実施形態の変換プラグに対して被変換プラグ（外部プラグ，電源プラグ）を取り付ける際の作用を示す図であって、変換プラグに被変換プラグが装着される前の状態の前面側を示す外観斜視図
【図８】図７の状態の後を示す図であって、変換プラグに被変換プラグが装着される途中の装着途中状態（二点鎖線）と、装着が完了した装着完了状態（実線）を示す縦断面図（図２の符号［４］で示す面に沿う断面図）
【図９】本発明の第１の実施形態の変換プラグに対して被変換プラグ（外部プラグ，電源プラグ）が装着された装着完了状態を示す平面図
【図１０】本発明の第１の実施形態の変換プラグに対して被変換プラグ（外部プラグ，電源プラグ）が装着される前の状態の背面側を示す外観斜視図
【図１１】本発明の第１の実施形態の変換プラグに対して被変換プラグ（外部プラグ，電源プラグ）が装着された装着完了状態を背面側から見た外観斜視図
【図１２】図１１の装着完了状態において、前面側から見た外観斜視図
【図１３】本発明の第２の実施形態の変換プラグの縦断面図
【図１４】本発明の第２の実施形態の変換プラグに対して被変換プラグが装着される前の状態の背面側を示す外観斜視図
【図１５】本発明の第３の実施形態の変換プラグに対して被変換プラグを取り付けた状態の主に前面側を示す外観斜視図
【図１６】本発明の第３の実施形態の変換プラグにおける蓋部材のみを取り出して示す外観斜視図
【図１７】本発明の第４の実施形態の変換プラグを示す外観斜視図
【図１８】本発明の第５の実施形態の変換プラグの前面側を主に示す外観斜視図
【図１９】本発明の第５の実施形態の変換プラグに被変換プラグを装着した状態を示し、その後面側を主に示す外観斜視図
【図２０】本発明の第６の実施形態の変換プラグの前面側を主に示す外観斜視図
【図２１】本発明の第６の実施形態の変換プラグに被変換プラグを装着途中の状態の前面側を主に示す外観斜視図
【図２２】本発明の第６の実施形態の変換プラグの第１面を含む断面の概念図
【図２３】本発明の第６の実施形態の変換プラグの第１面の刃受挿入口に対して被変換プラグを差し込み操作したときのようすを示す概念図
【図２４】図２３の状態から被変換プラグを回転させた後、正規の位置に配置したようすを示す概念図
【発明を実施するための形態】
【００１４】
以下、図示の実施の形態によって本発明を説明する。以下の説明に用いる各図面は模式的に示すものであり、各構成要素を図面上で認識できる程度の大きさで示すために、各部材の寸法関係や縮尺等を各構成要素毎に異ならせて示している場合がある。したがって、本発明は、各図面に記載された各構成要素の数量や各構成要素の形状や各構成要素の大きさの比率や各構成要素の相対的な位置関係等に関して、図示の形態のみに限定されるものではない。
【００１５】
［第１の実施形態］
図１〜図１２は、本発明の第１の実施形態を示す図である。このうち図１，図２は、本発明の第１の実施形態の変換プラグの外観を示す図である。なお、図１は当該変換プラグの主に後面側の構成を示す外観斜視図である。図２は当該変換プラグの主に前面側の構成を示す外観斜視図である。ここで、変換プラグの前面側とは、変換プラグから栓刃が突設されている側の面をいうものとする。また、上記前面に対向する当該変換プラグ１の面を背面というものとする。そして、上記前面及び上記後面は、以下の説明において同様に用いるものとする。
【００１６】
図３は本発明の第１の実施形態の変換プラグにおけるプラグピン（端子部材）のみを取り出して示す要部拡大外観斜視図である。図４は図２の矢印符号［４］が指し示す面（図２において二点鎖線で示す面）に沿う縦断面図である。
【００１７】
図５は図２の状態の変換プラグに対して被変換プラグ（外部プラグ，電源プラグ）を取り付けた状態を示す外観斜視図である。図６は、図５の被変換プラグ（外部プラグ，電源プラグ）と、これに取り付けられる蓋部材とを示す外観斜視図である。なお、図１，図２，図４，図５においては蓋部材の図示を省略している。
【００１８】
図７〜図１０は、本発明の第１の実施形態の変換プラグに対して被変換プラグ（外部プラグ，電源プラグ）を取り付ける際の作用を示す図である。このうち、図７は変換プラグに被変換プラグが装着される前の状態の前面側を示す外観斜視図である。図８は変換プラグに被変換プラグが装着される途中の装着途中状態（二点鎖線）と、装着が完了した装着完了状態（実線）を示す縦断面図（図２の符号［４］で示す面に沿う断面図）である。図９は変換プラグに被変換プラグが装着された装着完了状態を示す平面図である。図１０は変換プラグに被変換プラグが装着される前の状態の後面側を示す外観斜視図である。
【００１９】
なお、図７においては蓋部材を点線で示し図示を簡略化している。また、図８，図９では蓋部材１３の図示を省略し二点鎖線によって示している。図１０においては、変換プラグの内部構成を示すために一部を破いて示し、また、一部を点線で示している。図１１は変換プラグに被変換プラグが装着された装着完了状態を後面側から見た外観斜視図である。図１２は変換プラグに被変換プラグが装着された装着完了状態を前面側から見た外観斜視図である。
【００２０】
まず、本発明の第１の実施形態の変換プラグの詳細な構成について主に図１〜図６を用いて以下に説明する。
【００２１】
本実施形態の変換プラグ１は、例えば、所定の電気製品（不図示）に（一体又は別体に）連結され、所定の規格（例えば日本国内規格等）に準拠して製造された電源プラグであって被変換プラグ又は外部プラグ等（図５，図６の符号２１参照；以下、単に被変換プラグというものとする）を、各国別（仕向地別）の規格に対応した電源プラグへと変換して、商用電源からの電力を壁面コンセント（不図示）から所定の電気製品（不図示）へと供給することができるようにするためのアダプタ装置である。
【００２２】
当該変換プラグ１は、図示のように、本体部１１と、一対のプラグピン１２とによって主に構成されている。
【００２３】
本体部１１は、軟質な素材、例えばエラストマー材又は合成樹脂（ポリアセタール（polyacetal；ＰＯＭ）等）等によって形成されている。この本体部１１は、上記一対のプラグピン１２（詳細後述）を内部に埋め込んだ状態で、これらと一体に形成されている。この場合において、一対のプラグピン１２の一部（後述する栓刃１２ｂ）は、当該本体部１１の前面から外部に向けて突設させて設けられている。また、一対のプラグピン１２の他の一部（後述する一対の刃受１２ａ）は、当該本体部１１の内部に設けられ、後述する凹状の空間部１１ｄに向けて開口する刃受挿入口１１ｆに対向する位置に配設されている。
【００２４】
本体部１１には、被変換プラグ２１の本体部分を囲い込むようにして内部に収納するための凹状の空間部１１ｄが形成されている。つまり、この空間部１１ｄは、被変換プラグ２１が収納される空間である。
【００２５】
ここで、上記空間部１１ｄの内面を、第１面１１ａと、第２面１１ｂと、一対の側壁面１１ｃと呼ぶことにする。このうち、第１面１１ａには刃受挿入口１１ｆが形成されている。この刃受挿入口１１ｆは、空間部１１ｄの内面に設けられ、被変換プラグ２１の一対の栓刃２１ａ（後述する；図６参照）が挿入される一対の開口である。そして、当該本体部１１の内部において、上記刃受挿入口１１ｆに対向する各位置には、上記一対のプラグピン１２の他の一部（一対の刃受１２ａ；詳細後述）が配設されている。
【００２６】
第２面１１ｂは、第１面１１ａと離間し対向して設けられる面である。この第２面１１ｂは、上記一対のプラグピン１２の他の一部（一対の刃受１２ａ）に適合する栓刃２１ａ（後述）を有する被変換プラグ２１（後述）を第１面１１ａと共に挟む面である。
【００２７】
また、この第２面１１ｂには、上記空間部１１ｄに被変換プラグ２１が収納された状態となった時に当該被変換プラグ２１のコード２２（後述する；図５，図６参照）を延出させるための切り欠き部位であるコード延出部１１ｅが形成されている。
【００２８】
一対の側壁面１１ｃは、第１面１１ａと第２面１１ｂとを連結し、被変換プラグ２１の両側面２１ｃ（図６参照）を囲うための面である。この一対の側壁面１１ｃの各面には、空間部１１ｄの内方に向けて突出する凸部１１ｇがそれぞれ形成されている。これらの凸部１１ｇは、後述する開口孔１１ｈ寄りの部位に形成されている。
【００２９】
そして、これらの凸部１１ｇは、空間部１１ｄに被変換プラグ２１が収納された状態となった時に、当該被変換プラグ２１の両側面２１ｃの各縁部に係合することによって、同被変換プラグ２１が開口孔１１ｈから容易に外れてしまうことを抑制するために設けられている。そのために、二つの凸部１１ｇの各頂点間の間隔寸法（図５の符号Ｄ１）は、対応する被変換プラグ２１の幅寸法（図５の符号Ｄ２）よりも小（Ｄ１＜Ｄ２）となるように設定されている。
【００３０】
ここで、上述したように、本体部１１は、軟質な素材を用いて形成されており、上記凸部１１ｇは、本体部１１の一部として一体に形成されている。したがって、空間部１１ｄに被変換プラグ２１を収納する際には、開口孔１１ｈから被変換プラグ２１を二つの凸部１１ｇに押し付けるように挿入するが、このとき二つの側壁面１１ｃは互いに離間するように外方に変形し、凸部１１ｇが被変換プラグ２１から逃げることによって被変換プラグ２１を通過させるように構成されている。
【００３１】
このように、被変換プラグ２１を収納する空間部１１ｄは、第１面１１ａと、第２面１１ｂと、一対の側壁面１１ｃとで形成されている。そして、この空間部１１ｄには、被変換プラグ２１を収納する際の出入り口となる開口孔１１ｈが、上記第１面１１ａと上記第２面１１ｂとの間に形成されている。この開口孔１１ｈからは、空間部１１ｄに被変換プラグ２１を収納したとき、当該被変換プラグ２１のプラグ本体部２１ｂ（後述する；図６参照）が露呈され外部より覗ける開口孔部となっている。
【００３２】
なお、後述するように、本実施形態の変換プラグ１は、図６に示すような蓋部材１３（詳細後述；図６参照）を有している。この蓋部材１３を有していることにより、上記開口孔１１ｈを覆い隠すことができる構成とすることができる。
【００３３】
また、本実施形態においては、図２，図５等に示すように、本体部１１の空間部１１ｄは、これに収納される被変換プラグ２１（詳細後述）の外形形状に合わせた内壁面を有している。したがって、この構成により、本実施形態の変換プラグ１の空間部１１ｄに対応する被変換プラグ２１を収納した状態とした時、空間部１１ｄの内面に沿って被変換プラグ２１の外縁面がぴったりと収まるように構成されている。
【００３４】
プラグピン１２は、刃受１２ａと栓刃１２ｂとが一体に形成される端子部材である。このうち、上記刃受１２ａは、被変換プラグ２１の栓刃２１ａ（後述；図６参照）を受ける構成部位である。また、栓刃１２ｂは、上記刃受１２ａが受ける（被変換プラグ２１側の）栓刃２１ａとは異なる形態からなる。本実施形態では、プラグピン１２の素材を導電金属の平板素材（平板若しくはロール材）からプレス加工により形成され、栓刃１２ａは、この素材から円筒形に形成されている。
【００３５】
このプラグピン１２は、一つの変換プラグ１において二個（一対）が具備されて構成される。この一対のプラグピン１２は、それぞれが導電性を有する素材（例えば真鍮等の金属素材等）をプレス加工等を施すことによって形成されている。
【００３６】
そして、上記一対のプラグピン１２は、商用電源用の壁面コンセント（不図示）に挿入されるように形成された接続端子である。
【００３７】
本実施形態の変換プラグ１における一対のプラグピン１２は、図３に示すように、刃受１２ａと栓刃１２ｂとが互いに角度約９０度で交差している形態のものを例示している。このような形態のプラグピン１２を適用することにより、本実施形態の変換プラグ１においては、被変換プラグ２１の栓刃２１ａの差し込み方向を角度約９０度変換する機能も兼ね備えている。
【００３８】
なお、本実施形態の変換プラグ１においては、プラグピン１２の形態の一例として、上述したように、刃受１２ａと栓刃１２ｂとが互いに角度約９０度で交差している形態のものを例示している。
【００３９】
しかしながら、本発明が適用される変換プラグのプラグピンの形態としては、上記第１の実施形態で例示した形態に限られることはない。例えば、刃受と栓刃とが直線的に形成された形態のプラグピンであってもよいし、刃受と栓刃とが互いに角度約９０度とは異なる角度で交差する形態であってもよい。
【００４０】
一方、本実施形態の上記変換プラグ１に対応する被変換プラグ２１（外部プラグ，電源プラグ）は、一対の栓刃２１ａと、プラグ本体部２１ｂと、当該プラグ本体部２１ｂに連結されるコード２２とによって主に構成されている。
【００４１】
一対の栓刃２１ａは、上記変換プラグ１の一対のプラグピン１２の各刃受１２ａにそれぞれ適合する接点部材である。即ち、上記一対の栓刃２１ａは、当該被変換プラグ２１が上記変換プラグ１の空間部１１ｄに収納された時、当該変換プラグ１の刃受挿入口１１ｆから挿入し、各刃受１２ａによって受けられる。
【００４２】
プラグ本体部２１ｂは、全体として軟質な素材（エラストマー材又は合成樹脂等）を用いて形成されている。このプラグ本体部２１ｂは、上記一対の栓刃２１ａが内部に埋め込まれた状態で、これらと一体に形成されている。そして、プラグ本体部２１ｂの内部において、上記一対の栓刃２１ａの各基端は、上記コード２２の線材と連結されている。
【００４３】
コード２２は、上記一対の栓刃２１ａのそれぞれに連結され、導電性を有する素材からなる複数の電気線材を内部に挿通して構成される配線部材である。
【００４４】
なお、本実施形態においては、上記被変換プラグ２１としては、例えば日本国内規格（ＪＩＳ）等に準拠して製造された電源プラグであって、いわゆる平形プラグを例示している。したがって、上記被変換プラグ２１のその他の構成は、従来一般の平形プラグの構成と同様であるものとして、その詳細な説明は省略する。
【００４５】
蓋部材１３は、上述したように、空間部１１ｄに被変換プラグ２１を収納した状態としたときに、開口孔１１ｈを覆い隠すための部材である。この蓋部材１３は、図６に示すように、予め、被変換プラグ２１のプラグ本体部２１ｂに対して装着されるように構成されている。なお、蓋部材１３も本体部１１も難燃性の材料から成形されている。
【００４６】
そのために、蓋部材１３には、先端位置決め部１３ａと、後端位置決め部１３ｂとを有している。
【００４７】
上記先端位置決め部１３ａは、被変換プラグ２１の先端面２１ｄ（栓刃２１ａが突設されている面；図６参照）に当接させることにより、当該先端面２１ｄの蓋部材１３に対する位置決めを行う部位である。
【００４８】
また、先端位置決め部１３ａには、一対の栓刃２１ａをそれぞれ挿通させる一対の挿通孔１３ａａが形成されている。
【００４９】
上記後端位置決め部１３ｂは、被変換プラグ２１の後端面２１ｅ（コード２２が延出している面；図６参照）に当接させることにより、当該後端面２１ｅの蓋部材１３に対する位置決めを行う部位である。そのために、後端位置決め部１３ａは、蓋部材１３の平面部の後端縁部からコード２２の延出方向に直交する方向に延びる板状部で形成されている。この場合において、当該板状部（後端位置決め部１３ｂ）は、コード延出方向に対して直交する方向の長さ寸法が、コード２２に干渉しない程度の長さとなっている。
【００５０】
したがって、蓋部材１３をプラグ本体部２１ｂに装着した状態となった時、プラグ本体部２１ｂは、先端位置決め部１３ａと後端位置決め部１３ｂとの間で挟まれた状態となる。このとき、一対の栓刃２１ａは、先端位置決め部１３ａの一対の挿通孔１３ａａに挿通して、容易に外れないように構成されている。
【００５１】
つまり、被変換プラグ２１が変換プラグ１に装着されたときには、蓋部材１３の先端位置決め部１３ａの一対の挿通孔１３ａａに、被変換プラグ２１の一対の栓刃２１ａがそれぞれ挿通した状態で取り付けられる。これにより、上記蓋部材１３の一対の挿通孔１３ａａは、被変換プラグ２１が変換プラグ１の空間部１１ｄ内において前後方向（前面と後面とのそれぞれに直交する方向であって、直感的には変換プラグ１の「厚み」と表現してもよい）に移動するのを規制する。
【００５２】
さらに、被変換プラグ２１が変換プラグ１に装着されたときには、後端位置決め部１３ｂの先端部がコード２２に当接した状態、若しくは近接した位置に配置される。これにより、後端位置決め部１３ｂは、変換プラグ１のコード延出部１１ｅに配置されたコード２２が、当該変換プラグ１の前後方向（前面と後面とのそれぞれに直交する方向）に移動するのを規制する。
【００５３】
上述のように構成された本実施形態の変換プラグ１に対して被変換プラグ２１を装着する際の作用を、主に図７〜図１２を用いて以下に簡単に説明する。
【００５４】
図７に示すように、本実施形態の変換プラグ１と、被変換プラグ２１とが分離している状態にあるものとする。この状態において、変換プラグ１に対して被変換プラグ２１を装着するには、図７，図８の二点鎖線，図１０に示すように、変換プラグ１の本体部１１の空間部１１ｄの第１面１１ａ（図７では不図示）の刃受挿入口１１ｆ（図７では不図示）に向けて（図７，図８，図１０の矢印符号Ａ１参照）、被変換プラグ２１の一対の栓刃２１ａを挿入する。このとき、被変換プラグ２１の一対の栓刃２１ａは、変換プラグ１の刃受挿入口１１ｆの開口面である第１面１１ａに対して所定の進入角度を持って挿入される。
【００５５】
変換プラグ１の刃受挿入口１１ｆに被変換プラグ２１の一対の栓刃２１ａが、ある程度挿入された状態となったら、被変換プラグ２１を、当該一対の栓刃２１ａの先端部近傍を回転中心として、図７，図８，図１０の矢印符号Ｒ１方向において、変換プラグ１の前面に向けて回転させつつ、同時に、同図矢印符号Ａ１方向への挿入進行を継続させる。これにより、上記被変換プラグ２１の一対の栓刃２１ａは、刃受挿入口１１ｆから当該変換プラグ１の本体部１１の内部の各刃受１２ａへと挿入される。
【００５６】
そして、最終的に、被変換プラグ２１の先端面２１ｄ（実際には蓋部材１３の先端位置決め部１３ａの前面）が第１面１１ａに当接し、上記被変換プラグ２１は、変換プラグ１の空間部１１ｄ内に収納される。これにより、図８の実線，図９〜図１２に示す状態になる。このとき、蓋部材１３は、空間部１１ｄの開口孔１１ｈを覆い隠す（図１１，図１２参照）。
【００５７】
被変換プラグ２１が変換プラグ１の空間部１１ｄに収納される際には、被変換プラグ２１の両側面２１ｃが二つの凸部１１ｇに押し付けられ、一対の側壁面１１ｃは互いに対向距離を大きくし変形しつつ、被変換プラグ２１の両側面２１ｃが一対の側壁面１１ｃに沿って移動するのを許容する。そして、被変換プラグ２１の両側面２１ｃが二つの凸部１１ｇを乗り越えたとき、当該二つの凸部１１ｇは元の形状に復帰する。これにより、当該二つの凸部１１ｇは、被変換プラグ２１の両側面２１ｃの縁部を係止する。したがって、この状態になると、被変換プラグ２１のコード２２に対して例えば意図しない外力等が加わったとしても、空間部１１ｄ内に収納された被変換プラグ２１のプラグ本体部２１ｂが当該空間部１１ｄから外れてしまうことが抑止される。
【００５８】
さらに、蓋部材１３が空間部１１ｄの開口孔１１ｈを覆い隠す状態となる。このとき、コード２２の延出方向において、蓋部材１３の先端位置決め部１３ａを介し、第1面１１ａと第２面１１ｂとによって、プラグ本体部２１ｂが挟まれて位置規制されているので、当該被変換プラグ２１は空間部１１ｄ内で容易に動かない。
【００５９】
さらにまた、蓋部材１３の先端位置決め部１３ａは、一対の挿通孔１３ａａに被変換プラグ２１の一対の栓刃２１ａを挿通させることで、被変換プラグ２１の前後方向の移動を規制している。
【００６０】
これに加えてさらに、蓋部材１３の後端位置決め部１３ｂは、コード２２の前後方向の移動を規制している。これにより、被変換プラグ２１は、コード２２に対して意図しない外力が加わったとしても、変換プラグ１の空間部１１ｄから容易に外れることはない。
【００６１】
また、蓋部材１３を設けたことにより、装着された被変換プラグ２１が外部から覆われることになる。これにより、蓋部材１３は、空間部１１ｄ内の防塵防滴を確保する役目もしている（図１１，図１２参照）。
【００６２】
なお、被変換プラグ２１が装着された状態の変換プラグ１から、当該被変換プラグ２１を取り外す際には、被変換プラグ２１のコード２２の根元部分を外方へ持ち上げて、図の矢印符号Ｒ１とは反対方向に回転させる。このとき、被変換プラグ２１の両側面２１ｃが二つの凸部１１ｇを乗り越え得る力量の回転力を加える。そして、被変換プラグ２１の両側面２１ｃが二つの凸部１１ｇを乗り越え始めたら、当該回転操作と同時に、矢印符号Ａ１とは反対方向（抜去方向）へと引き抜く操作をする。これにより、被変換プラグ２１は、容易に変換プラグ１から取り外すことができる。
【００６３】
以上説明したように上記第１の実施形態によれば、所定の規格（例えば日本国内規格等）に応じた電源プラグを、異なる規格（例えば各国別（仕向地別の規格）に対応した電源プラグへと変換して、商用電源からの電力を壁面コンセントから所定の電気製品へと供給することができる変換プラグであって、より簡単な構造で、安全面の標準規格（例えばＩＥＣ規格，ＪＩＳ等）を、容易に満足させることができる。
【００６４】
より詳しくは、変換プラグ１に被変換プラグ２１を装着した状態で使用している時、つまり変換プラグ１の栓刃１２ｂを壁面コンセント（不図示）に差し込んで使用している時に、例えば変換プラグ１に装着された被変換プラグ２１のコード２２に対して意図しない力量が加わったとしても、被変換プラグ２１と変換プラグ１との連結状態は維持されるので、両者が意図せず離別してしまうようなことがない。
【００６５】
したがって、変換プラグ１のみが壁面コンセントに残ってしまったり、変換プラグ１が破損して端子部材の一部（例えば栓刃等）が外部に露呈するといった問題の発生を抑止できる。このように、被変換プラグ２１と変換プラグ１との接続状態が使用中に解除されてしまうことを抑えて、安全面の標準規格を満足させることができる。
【００６６】
なお、上記第１の実施形態においては、変換プラグ１における一対のプラグピン１２の各刃受１２ａを日本国内規格に応じた電源プラグ（平形プラグ）に対応するものとし、各栓刃１２ｂを、上記刃受１２ａが受ける栓刃２１ａとは異なる形態の栓刃１２ｂとした場合を例示している。
【００６７】
しかしながら、本発明は、上記第１の実施形態の例示に限られることはなく、プラグピン１２の刃受１２ａ及び栓刃１２ｂのそれぞれの形状や個数を、各種の規格に応じたものに変更することで、各種様々な規格に応じた電源プラグに簡単に対応することができる。
【００６８】
なお、その場合においては、例えば刃受挿入口１１ｆの形状や個数についても、プラグピンの刃受の形状や個数、即ち対応する被変換プラグの栓刃の形状や個数に合わせて、適宜仕様の変更を行うことが必要となる。
【００６９】
［第２の実施形態］
上述の第１の実施形態においては、変換プラグ１の本体部１１の空間部１１ｄは、被変換プラグ２１が挿入される開口孔１１ｈを設け、本体部１１の後面側において、上記開口孔１１ｈの対向面は閉塞された床面で構成している。
【００７０】
上述したように、上記第１の実施形態の変換プラグ１においては、被変換プラグ２１を空間部１１ｄへと収納させる際には、当該被変換プラグ２１を変換プラグ１の前面に対して斜め方向（図示の矢印符号Ａ１参照）から挿入するような構成となっている。
【００７１】
この構成の場合、被変換プラグ２１の各栓刃２１ａが変換プラグ１の刃受挿入口１１ｆ及び各刃受１２ａに完全に挿入される前の段階で、被変換プラグ２１の先端隅部（図１０の符号［Ｂ］参照）が、変換プラグ１の床面近傍の側壁面１１ｃ（図１０の符号［Ａ］参照）に当接する。
【００７２】
上述したように、上記第１の実施形態においては、変換プラグ１の本体部１１と、被変換プラグ２１のプラグ本体部２１ｂとは、いずれも軟質な素材（例えばエラストマー材又は合成樹脂等）によって形成されている。
【００７３】
したがって、被変換プラグ２１の一部（図１０の符号［Ｂ］）が、変換プラグ１の一部（図１０の符号［Ａ］）に当接した時には、互いに、若しくは一方が変形するので、被変換プラグ２１の各栓刃２１ａが変換プラグ１の刃受挿入口１１ｆ及びプラグピン１２の各刃受１２ａに挿入されることを阻害しないように構成されている。しかしながら、被変換プラグ２１の挿入操作の段階で、被変換プラグ２１の一部（図１０の符号［Ｂ］）と、変換プラグ１の一部（図１０の符号［Ａ］）とが当接して以後は、双方若しくは一方を変形をさせて挿入を続行するためには、挿入操作のための力量を若干増加させる必要がある。このように、挿入操作途中に操作力量を増加させる等の操作を行うことは、自然で円滑な操作を妨げてしまい違和感が生じる。
【００７４】
以下に示す本発明の第２の実施形態は、上述の点に着目して、上記第１の実施形態の変換プラグを改変した実施形態である。
【００７５】
即ち、本実施形態の変換プラグ１は、被変換プラグ２１を装着する過程において、不自然に挿入操作力量を増加させることなく、かつ容易に、また円滑に、挿入操作を行うことができるようにする構成を、さらに備えるものである。
【００７６】
図１３，図１４は、本発明の第２の実施形態の変換プラグを示す図である。このうち、図１３は本実施形態の変換プラグの縦断面図である。なお、図１３は上述の第１の実施形態における図４に相当するものである。図１４は、本発明の第２の実施形態の変換プラグに対して被変換プラグが装着される前の状態の背面側を示す外観斜視図である。なお、この図１４は上述の第１の実施形態における図１０に相当する。
【００７７】
本実施形態の変換プラグ１Ａの本体部１１Ａに形成される空間部１１ｄは、被変換プラグ２１（図１４参照）が挿入される開口孔１１ｈと対向する面、即ち本体部１１Ａの後面側の床面に、第２開口孔１１ｍを有している。さらに、空間部１１ｄ内の側壁面１１ｃが、第１の実施形態では開口孔１１ｈの開口口元（かいこうくちもと）から空間部１１ｄの上記床面まで連続して形成された面であったものを、開口孔１１ｈの開口口元から第２開口孔１１ｍの口元に向かって途中で終わらせた面として、即ち、第２開口孔１１ｍの口元に到達する前の途中で終わらせた面として形成し、上記床面近傍では、被変換プラグ２１の先端部（図１０の符号［Ｂ］参照）とは当接させない空間部１１ｉを形成する。その他の構成は、上述の第１の実施形態と同様である。
【００７８】
このように構成した上記第２の実施形態の変換プラグ１Ａに対して、被変換プラグ２１を装着する際には、その挿入操作過程において、被変換プラグ２１の先端隅部（図１０の符号［Ｂ］参照）は、第２開口孔１１ｍによって変換プラグ１Ａとの干渉が回避される。
【００７９】
したがって、上記第２の実施形態によれば、上述の第１の実施形態と同様の効果を得ることができると同時に、さらに、本実施形態の変換プラグ１Ａに対して被変換プラグ２１を装着する過程において、常に一定の挿入操作力量にて、自然に、かつ容易に、また円滑に、挿入操作を継続することができる。
【００８０】
［第３の実施形態］
図１５，図１６は、本発明の第３の実施形態の変換プラグを示す図である。このうち、図１５は本実施形態の変換プラグに対して被変換プラグを取り付けた状態の主に前面側を示す外観斜視図である。なお、図１５は上述の第１の実施形態における図５に相当する。また、図１５においては蓋部材の構成を示すために、その一部を破いて図示している。図１６は、本発明の第３の実施形態の変換プラグにおける蓋部材のみを取り出して示す外観斜視図である。
【００８１】
本発明の第３の実施形態は、上述の第１の実施形態に対して蓋部材の形態を異ならせて構成した点が異なるのみである。したがって、以下の説明においては、上記第１の実施形態と異なる部分のみを詳述し、上述の第１の実施形態と同じ構成は、同じ符号を付して、その説明を省略する。
【００８２】
本実施形態の変換プラグ１Ｂにおいて、蓋部材１３Ｂは、空間部１１ｄの開口孔１１ｈを覆い隠すための部材である点においては、上述の第１の実施形態の変換プラグ１における蓋部材１３と同様である。
【００８３】
上述の第１の実施形態の変換プラグ１における蓋部材１３は、予め、被変換プラグ２１のプラグ本体部２１ｂに対して装着した状態とした上で、変換プラグ１に取り付けられるように構成されている。
【００８４】
これに対し、本実施形態の変換プラグ１Ｂにおける蓋部材１３Ｂは、図１５に示すように、被変換プラグ２１を変換プラグ１Ｂに装着した後であっても、変換プラグ１Ｂに対して開口孔１１ｈを覆い隠す位置に取り付けることができるように構成されている。
【００８５】
また、本実施形態における蓋部材１３Ｂは、上述の第１の実施形態と同様に、予め、蓋部材１３Ｂを被変換プラグ２１に装着した状態でも、変換プラグ１Ｂに取り付けることができるように構成されている。
【００８６】
そのために、本実施形態における蓋部材１３Ｂは、先端位置決め部１３Ｂａと、後端位置決め部１３Ｂｂとを有している点において、上述の第１の実施形態と同様である。
【００８７】
蓋部材１３Ｂの先端位置決め部１３Ｂａは、図１６に示すように、被変換プラグ２１の一対の栓刃２１ａのそれぞれを、当該先端位置決め部１３Ｂａの板厚方向に挿通させる一対の挿通孔１３Ｂａａを有している。
【００８８】
ここで、本実施形態における蓋部材１３Ｂの先端位置決め部１３Ｂａは、図１６に示すように、上記一対の挿通孔１３Ｂａａと、この一対の挿通孔１３Ｂａａのそれぞれの位置から当該先端位置決め部１３Ｂａの一外縁部へと連通する一対の切欠部１３Ｂａｂを有して形成されている。この点において、本実施形態は上述の第１の実施形態と異なる。
【００８９】
上記一対の切欠部１３Ｂａｂは、被変換プラグ２１の一対の栓刃２１ａを、その延出方向に直交する方向から挿通させることのできる隙間を有して形成されている。
【００９０】
上記一対の切欠部１３Ｂａｂは、先端位置決め部１３Ｂａの一外縁部から上記一対の挿通孔１３Ｂａａへ向けて形成されたテーパー面１３Ｂａｂｃを有するテーパー部が形成されている。
【００９１】
蓋部材１３Ｂ及び変換プラグ１Ｂにおいて、その他の構成は上述の第１の実施形態と同様である。
【００９２】
このように構成された本実施形態の変換プラグ１Ｂにおいて、蓋部材１３Ｂを装着するには、図１５に示すように、被変換プラグ２１を装着済みの変換プラグ１Ｂに対して、開口孔１１ｈ側から先端位置決め部１３Ｂａを、本体部１１Ｂの空間部１１ｄの第１面１１ａと被変換プラグ２１の先端面２１ｄとの間の隙間に挿入する。そして、上記先端位置決め部１３Ｂａの一対の切欠部１３Ｂａｂに、変換プラグ１Ｂの刃受挿入口１１ｆに挿入されている被変換プラグ２１の一対の栓刃２１ａをテーパー面１３Ｂａｂｃに当接させ、切欠部１３Ｂａｂを拡げながら挿通させる。そして、栓刃２１ａが切欠部１３Ｂａｂを通過完了後は、切欠部１３Ｂａｂがカエシ形状（フック形状）となっているので、先端位置決め部１３Ｂａが栓刃２１ａから外れることはなくなる。
【００９３】
これにより、上記第３の実施形態によれば、上述の第１の実施形態と同様の効果を得ることができると同時に、さらに、被変換プラグ２１を装着済みの変換プラグ１Ｂに対して、蓋部材１３Ｂを開口孔１１ｈを覆うように、あとからでも取り付けることができる。
【００９４】
［第４の実施形態］
図１７は、本発明の第４の実施形態の変換プラグを示す外観斜視図である。この図１７は上述の第１の実施形態における図５に相当する。
【００９５】
本発明の第４の実施形態は、上述の第１の実施形態に対して開口孔の形態を異ならせて構成した点が異なるのみである。したがって、以下の説明においては、上記第１の実施形態と異なる部分のみを詳述し、上述の第１の実施形態と同じ構成は、同じ符号を付して、その説明を省略する。
【００９６】
上述の第１の実施形態の変換プラグ１において、空間部１１ｄの開口孔１１ｈは、装着される被変換プラグ２１の外形形状に合わせた内壁面を有して形成している（図２，図５参照）。
【００９７】
これに対し本実施形態の変換プラグ１Ｃにおいて、本体部１１Ｃの空間部１１Ｃｄの開口孔１１Ｃｈは、単なる凹状の空間であって、かつ装着される被変換プラグ２１を収納することができるように形成している。そのために、空間部１１Ｃｄの幅寸法Ｗ１は被変換プラグ２１の最大幅寸法Ｗ２よりも大となるように形成されている（Ｗ１＞Ｗ２）。
【００９８】
同時に、空間部１１Ｃｄの奥行寸法Ｄ３は被変換プラグ２１の最大幅寸法Ｄ４（被変換プラグのコード延伸方向の長さ）に蓋部材の先端位置決め部（不図示）の板厚寸法Ｄ５を加えた寸法（Ｄ４＋Ｄ５）よりも大となるように形成されている（Ｄ３＞Ｄ４＋Ｄ５）。その他の構成は、上述の第１の実施形態と同様である。
【００９９】
このような構成により、上記第４の実施形態によれば、さらに単純な構成によって、上述の第１の実施形態と同様の効果を得ることができる。
【０１００】
なお、図１７においては、蓋部材の図示を省略しているが、本実施形態の変換プラグにおいても、上述の第１の実施形態又は第３の実施形態で示した蓋部材をいずれでも全く同様に適用することができる。
【０１０１】
さらに、図１７においては図示されていない部分であるが、本実施形態においては、空間部１１Ｃｄの開口孔１１Ｃｈに対向する後面側の面については、上述の第１の実施形態と同様の床面で構成してもよいし、上述の第２の実施形態のように第２開口孔１１ｍを設けた形態としてもよい。
【０１０２】
［第５の実施形態］
図１８，図１９は、本発明の第５の実施形態の変換プラグを示す図である。このうち、図１８は、変換プラグのみを示し、その前面側を主に示す外観斜視図である。この図１８は上述の第１の実施形態における図２に相当する。図１９は、本実施形態の変換プラグに被変換プラグを装着した状態を示し、その後面側を主に示す外観斜視図である。この図１９は上述の第１の実施形態における図１１に相当する。
【０１０３】
本発明の第５の実施形態は、上述の第１の実施形態に対して本体部１１Ｄの一部の構成が若干異なるのみである。したがって、以下の説明においては、上記第１の実施形態と異なる部分のみを詳述し、上述の第１の実施形態と同じ構成は、同じ符号を付して、その説明を省略する。
【０１０４】
本実施形態の変換プラグ１Ｄは、本体部１１Ｄの一部がいわゆる蛇腹形状をなすように構成されている。即ち、本体部１１Ｄの一部であって、空間部１１Ｄｄにおける一対の側壁面１１ｃを含み対向する両壁部１１Ｄｐの形状のそれぞれを上記蛇腹形状となしている。
【０１０５】
ここで、蛇腹形状とは、空間部１１Ｄｄ内における第１面１１ａと第２面１１ｂとの間隔寸法Ｄ６を弾性的に大きくなる方向（図１８，図１９の矢印Ｘ１方向参照）に変化させることができるように形成される伸縮可能な形状である。そして、上記蛇腹形状を実現するために、本体部１１Ｄは全体として硬質な素材（例えば硬質ゴム等）で形成しながらも、上記蛇腹形状部によって柔軟に形成されている。
【０１０６】
上記両壁部１１Ｄｐを、このような蛇腹形状とすることにより、空間部１１Ｄｄ内に被変換プラグ２１を挿入配置する際には、被変換プラグ２１を押し込む力量によって、空間部１１Ｄｄの第１面１１ａと第２面１１ｂとの間隔寸法Ｄ６が大きくなるように両壁部１１Ｄｐを伸張させるように変形させて、当該被変換プラグ２１を空間部１１Ｄｄ内に収納させる。
【０１０７】
そして、被変換プラグ２１が空間部１１Ｄｄ内に収納された状態になって、被変換プラグ２１に加える力量を解除すると両壁部１１Ｄｐは縮む方向に変形して、被変換プラグ２１を図１８，図１９の矢印Ｘ１に沿う方向において、第１面１１ａと第２面１１ｂとによって挟み込む。これにより、被変換プラグ２１は、変換プラグ１Ｄの空間部１１Ｄｄ内において収納された状態で位置規定される。また、寸法Ｄ６は被変換プラグのコード延伸方向の長さＤ４よりやや短めでも、被変換プラグ２１を空間部１１Ｄｄ内に収納できる。
【０１０８】
このような構成の上記第５の実施形態によれば、さらに単純な構成によって、上述の第１の実施形態と同様の効果を得ることができる。
【０１０９】
［第６の実施形態］
図２０〜図２６は、本発明の第６の実施形態の変換プラグを示す図である。このうち、図２０は、変換プラグのみを示し、その前面側を主に示す外観斜視図である。この図２０は上述の第１の実施形態における図２に相当する。図２１は、本実施形態の変換プラグに被変換プラグを装着した状態の前面側を主に示す外観斜視図である。この図２１は上述の第１の実施形態における図５に相当する。なお、図２０，図２１においては蓋部材の図示を省略している。
【０１１０】
図２２〜図２４は、本実施形態の変換プラグの第１面の刃受挿入口に対して被変換プラグを差し込み操作する際の作用を示す概念図である。このうち図２２は本実施形態の変換プラグの第１面を含む断面の概念図である。図２３は本実施形態の変換プラグの第１面の刃受挿入口に対して被変換プラグを差し込み操作したときのようすを示す概念図である。図２４は図２３の状態から被変換プラグを回転させた後、正規の位置に配置したようすを示す概念図である。
【０１１１】
本発明の第６の実施形態の構成は、基本的には上述の第１，第４の実施形態と略同様の構成からなり、空間部の第１面に設けられる刃受挿入口及びこれに対応するプラグピンの各刃受の形態が異なるのみである。したがって、以下の説明においては、上記第１，第４の実施形態と異なる部分のみを詳述し、上述の第１，第４の実施形態と同じ構成は、同じ符号を付して、その説明を省略する。
【０１１２】
本実施形態の変換プラグ１Ｅは、本体部１１Ｅの空間部１１Ｅｄの第１面１１ａに設けられる一対の刃受挿入口１１Ｅｆが、図２２等に示すように、それぞれが略円弧形状に形成されている。そして、各刃受挿入口１１Ｅｆは、第１面１１ａ上において互いに対向する位置に形成されている。
【０１１３】
また、上記一対の刃受挿入口１１Ｅｆは、被変換プラグ２１の一対の栓刃２１ａ（図２０，図２１には不図示；図２２，図２３参照）が挿入されたとき（図２１，図２２の状態参照）、当該被変換プラグ２１が、その挿入軸（図２１等に示す符号Ａｘ参照）周りに所定の角度の範囲内で回転（図２１の矢印Ｒ２方向参照）できるように形成されている。
【０１１４】
これに対応させて、本体部１１Ｅの内部に設けられる一対のプラグピン１２Ｅの各刃受１２Ｅａ（図２０，図２１には不図示；図２１〜図２３参照））は、いわゆる自己鎖錠型の刃受によって構成されている。
【０１１５】
これにより、本実施形態の変換プラグ１Ｅは、被変換プラグ２１が正規の位置に装着されたときには、当該被変換プラグ２１の抜去方向の移動を規制するためのロック機構を備えている。なお、当該ロック機構については、従来一般に周知のものが適用されている。そのために、当該ロック機構については、その図示及び詳細説明は省略する。その他の構成は、上記第４の実施形態と略同様である。
【０１１６】
このように構成された上記第６の実施形態の変換プラグ１Ｅに対し、被変換プラグ２１を装着する際の作用は以下の通りである。
【０１１７】
まず、被変換プラグ２１を開口孔１１Ｅｈから空間部１１Ｅｄの内部へと挿入させる。即ち、被変換プラグ２１の一対の栓刃２１ａ（図２３，図２４参照）を空間部１１Ｅｄの第１面１１ａの刃受挿入口１１Ｅｆに向けて挿入する。このときの挿入操作は上述の各実施形態と同様である。
【０１１８】
そして、被変換プラグ２１の一対の栓刃２１ａを各刃受挿入口１１Ｅｆへと挿入し、本体部１１Ｅの内部の一対のプラグピン１２Ｅの各刃受１２Ｅａへと挿入する。このとき、被変換プラグ２１は、図２１，図２３に示すように、変換プラグ１Ｅに対して挿入軸Ａｘ周りに所定の角度で傾いた状態で挿入される。この傾いた状態とは、さらに具体的に説明すると、図２３において、被変換プラグ２１の前端面の外縁線２１ｘが、変換プラグ１Ｅの第１面１１ａの外縁線１１ｘに対して所定の角度を持って傾いている状態である。
【０１１９】
この状態とした後、被変換プラグ２１を、挿入軸Ａｘ周りに、図２１の矢印Ｒ２方向に所定の位置まで回転させる。この場合における所定の位置とは、例えば変換プラグ１Ｅに対して被変換プラグ２１が図２４に示す状態となる位置である。当該所定の位置を、さらに具体的に説明すると、図２４において、被変換プラグ２１の前端面の外縁線２１ｘと、変換プラグ１Ｅの第１面１１ａの外縁線１１ｘとが略平行となる状態となる位置である。
【０１２０】
被変換プラグ２１が当該所定の位置に至ると、上記ロック機構が作用する。これにより、当該被変換プラグ２１の各栓刃２１ａは、プラグピン１２の各刃受１２Ｅａにロックされ、上記被変換プラグ２１の抜去方向への移動が規制される。
【０１２１】
このように被変換プラグ２１が装着された状態の変換プラグ１Ｅから、当該被変換プラグ２１を取り外すには、まず、被変換プラグ２１を挿入軸Ａｘ周りに、図２１の矢印Ｒ２とは反対方向に回転させる。その後、当該被変換プラグ２１を開口孔１１Ｅｈから抜去する。
【０１２２】
このように構成された上記第６の実施形態によれば、ロック機構を併設することによって、変換プラグ１Ｅに装着された被変換プラグ２１が意図せずに抜去してしまうことを、より確実に抑止することができる。
【０１２３】
本発明は上述した実施形態に限定されるものではなく、発明の主旨を逸脱しない範囲内において種々の変形や応用を実施することができることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。この発明は、添付のクレームによって限定される以外にはそれの特定の実施態様によって制約されない。
【符号の説明】
【０１２４】
１，１Ａ，１Ｂ，１Ｃ，１Ｄ，１Ｅ……変換プラグ
１１，１１Ａ，１１Ｂ，１１Ｃ，１１Ｄ，１１Ｅ……本体部
１１ａ……第１面
１１ｂ……第２面
１１ｃ……側壁面
１１ｄ，１１Ｃｄ，１１Ｄｄ，１１Ｅｄ……空間部
１１ｅ……コード延出部
１１ｆ，１１Ｅｆ……刃受挿入口
１１ｇ……凸部
１１ｈ，１１Ｃｈ，１１Ｅｈ……開口孔
１１Ｄｐ……両壁部
１１ｍ……第２開口孔
１１ｘ……外縁線
１２，１２Ｅ……プラグピン
１２ａ，１２Ｅａ……刃受
１２ｂ……栓刃
１３，１３Ｂ……蓋部材
１３ａ，１３Ｂａ……先端位置決め部
１３ｂ，１３Ｂｂ……後端位置決め部
１３ａａ，１３Ｂａａ……挿通孔
１３Ｂａｂ……切欠部
２１……被変換プラグ
２１ａ……栓刃
２１ｂ……プラグ本体部
２１ｃ……両側面
２１ｄ……先端面
２１ｅ……後端面
２１ｘ……外縁線
２２……コード
Ａｘ……挿入軸
【図１】
2018181563.tif 000003
【図２】
2018181563.tif 000004
【図３】
2018181563.tif 000005
【図４】
2018181563.tif 000006
【図５】
2018181563.tif 000007
【図６】
2018181563.tif 000008
【図７】
2018181563.tif 000009
【図８】
2018181563.tif 000010
【図９】
2018181563.tif 000011
【図１０】
2018181563.tif 000012
【図１１】
2018181563.tif 000013
【図１２】
2018181563.tif 000014
【図１３】
2018181563.tif 000015
【図１４】
2018181563.tif 000016
【図１５】
2018181563.tif 000017
【図１６】
2018181563.tif 000018
【図１７】
2018181563.tif 000019
【図１８】
2018181563.tif 000020
【図１９】
2018181563.tif 000021
【図２０】
2018181563.tif 000022
【図２１】
2018181563.tif 000023
【図２２】
2018181563.tif 000024
【図２３】
2018181563.tif 000025
【図２４】
2018181563.tif 000026